【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
複数種類の識別情報を可変表示可能な可変表示装置を有し、該可変表示装置の表示結果が予め定められた当り表示結果になったときに遊技者に有利な状態に制御可能な遊技機であって、
前記可変表示装置とは別に設けられ、当りラインが複数本定められており、複数種類の飾り識別情報を可変表示可能な飾り可変表示部を複数有する飾り可変表示装置と、
前記可変表示装置および前記飾り可変表示装置において可変開始させた後、それぞれの表示結果を導出表示させる制御を行なう手段であって、前記可変表示装置の表示結果を前記当り表示結果にするときには前記飾り可変表示装置の表示結果を当り飾り識別情報の組合せにし、前記可変表示装置の表示結果を前記当り表示結果ではない外れ表示結果にするときには前記飾り可変表示装置の表示結果を前記当り飾り識別情報の組合せではない外れ飾り識別情報の組合せにする可変表示制御手段と、
リーチ状態を表示する制御を行なうか否かを決定するための数値を更新するリーチ状態決定用カウンタと、
前記リーチ状態が表示されるときに、キャラクタが所定の動作を行なう複数種類のスーパーリーチ状態を含む複数種類のリーチ状態の中からいずれの種類のリーチ状態を表示するかを決定するための数値を更新するリーチ種類決定用カウンタと、
前記可変表示装置に導出される表示結果が前記当り表示結果となるとき、および、前記可変表示装置の表示結果が前記外れ表示結果になるときに、前記リーチ状態決定用カウンタからの抽出値がリーチ状態判定値であることを判定することによって、前記可変表示装置の可変表示中の表示態様にかかわらず前記飾り可変表示装置に前記リーチ状態を表示させる制御を行なうリーチ表示制御手段とを備え、
前記複数種類のスーパーリーチ状態は、キャラクタが第１の動作を行なう種類のスーパーリーチ状態と、キャラクタが前記第１の動作とは異なる第２の動作を行なう種類のスーパーリーチ状態とを含み、
前記リーチ表示制御手段は、
前記リーチ状態を表示させるときにおいて、前記リーチ種類決定用カウンタからの抽出値がスーパーリーチ状態判定値であるときに、該抽出値によって、前記複数種類のスーパーリーチ状態のうちからいずれかのスーパーリーチ状態を選択するスーパーリーチ選択手段と、
該スーパーリーチ選択手段により選択された種類のスーパーリーチ状態を前記飾り可変表示装置に表示させる制御を行なうスーパーリーチ表示制御手段と、
該スーパーリーチ表示制御手段により前記スーパーリーチ状態を表示させる制御が行なわれるときには、複数本定められた当りラインのうちの所定の表示領域を通る当りラインにおいて該スーパーリーチ状態が表示され、前記スーパーリーチ状態と異なるノーマルリーチ状態を表示させる制御が行なわれるときには、複数本定められた当りラインのうちの所定の表示領域を通る当りラインおよび該所定の表示領域を通らない当りラインのうちのいずれかにおいて該ノーマルリーチ状態が表示されるように前記飾り可変表示装置の表示結果を決定する飾り表示結果決定手段と、を含む、
ことを特徴とする、遊技機。
【手続補正２】
【補正対象書類名】明細書
【補正対象項目名】０００１
【補正方法】変更
【補正の内容】
【０００１】
本発明は、たとえばパチンコ遊技機やコイン遊技機あるいはスロットマシン等で代表される遊技機に関し、詳しくは、複数種類の識別情報を可変表示可能な可変表示装置を有し、該可変表示装置の表示結果が予め定められた当り表示結果になったときに遊技者に有利な状態に制御可能な遊技機に関する。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
このように、前述した従来の遊技機では、識別情報の組合せの表示結果の総数が極めて多数であった。
【手続補正５】
【補正対象書類名】明細書
【補正対象項目名】０００６
【補正方法】変更
【補正の内容】
【０００６】
この発明の目的は、係る従来の遊技機におけるリーチ制御を改良した遊技機を提供することである。
【手続補正６】
【補正対象書類名】明細書
【補正対象項目名】０００７
【補正方法】変更
【補正の内容】
【０００７】
請求項１に記載の本発明は、複数種類の識別情報を可変表示可能な可変表示装置を有し、該可変表示装置の表示結果が予め定められた当り表示結果になったときに遊技者に有利な状態に制御可能な遊技機であって、
前記可変表示装置とは別に設けられ、当りラインが複数本定められており、複数種類の飾り識別情報を可変表示可能な飾り可変表示部を複数有する飾り可変表示装置と、
前記可変表示装置および前記飾り可変表示装置において可変開始させた後、それぞれの表示結果を導出表示させる制御を行なう手段であって、前記可変表示装置の表示結果を前記当り表示結果にするときには前記飾り可変表示装置の表示結果を当り飾り識別情報の組合せにし、前記可変表示装置の表示結果を前記当り表示結果ではない外れ表示結果にするときには前記飾り可変表示装置の表示結果を前記当り飾り識別情報の組合せではない外れ飾り識別情報の組合せにする可変表示制御手段と、
リーチ状態を表示する制御を行なうか否かを決定するための数値を更新するリーチ状態決定用カウンタと、
前記リーチ状態が表示されるときに、キャラクタが所定の動作を行なう複数種類のスーパーリーチ状態を含む複数種類のリーチ状態の中からいずれの種類のリーチ状態を表示するかを決定するための数値を更新するリーチ種類決定用カウンタと、
前記可変表示装置に導出される表示結果が前記当り表示結果となるとき、および、前記可変表示装置の表示結果が前記外れ表示結果になるときに、前記リーチ状態決定用カウンタからの抽出値がリーチ状態判定値であることを判定することによって、前記可変表示装置の可変表示中の表示態様にかかわらず前記飾り可変表示装置に前記リーチ状態を表示させる制御を行なうリーチ表示制御手段とを備え、
前記複数種類のスーパーリーチ状態は、キャラクタが第１の動作を行なう種類のスーパーリーチ状態と、キャラクタが前記第１の動作とは異なる第２の動作を行なう種類のスーパーリーチ状態とを含み、
前記リーチ表示制御手段は、
前記リーチ状態を表示させるときにおいて、前記リーチ種類決定用カウンタからの抽出値がスーパーリーチ状態判定値であるときに、該抽出値によって、前記複数種類のスーパーリーチ状態のうちからいずれかのスーパーリーチ状態を選択するスーパーリーチ選択手段と、
該スーパーリーチ選択手段により選択された種類のスーパーリーチ状態を前記飾り可変表示装置に表示させる制御を行なうスーパーリーチ表示制御手段と、
該スーパーリーチ表示制御手段により前記スーパーリーチ状態を表示させる制御が行なわれるときには、複数本定められた当りラインのうちの所定の表示領域を通る当りラインにおいて該スーパーリーチ状態が表示され、前記スーパーリーチ状態と異なるノーマルリーチ状態を表示させる制御が行なわれるときには、複数本定められた当りラインのうちの所定の表示領域を通る当りラインおよび該所定の表示領域を通らない当りラインのうちのいずれかにおいて該ノーマルリーチ状態が表示されるように前記飾り可変表示装置の表示結果を決定する飾り表示結果決定手段と、を含む、ことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
請求項１に記載の本発明によれば、次のように作用する。当りラインが複数本定められており、複数種類の飾り識別情報を可変表示可能な飾り可変表示部を複数有する飾り可変表示装置が、複数種類の識別情報を可変表示可能な可変表示装置とは別に設けられる。可変表示装置および飾り可変表示装置において可変開始させた後、それぞれの表示結果を導出表示させる制御を行なう可変表示制御手段の働きにより、可変表示装置の表示結果を当り表示結果にするときには飾り可変表示装置の表示結果が当り飾り識別情報の組合せになり、可変表示装置の表示結果を当り表示結果ではない外れ表示結果にするときには飾り可変表示装置の表示結果が当り飾り識別情報の組合せではない外れ飾り識別情報の組合せになる。リーチ状態決定用カウンタの働きにより、リーチ状態を表示する制御を行なうか否かを決定するための数値が更新される。リーチ種類決定用カウンタの働きにより、リーチ状態が表示されるときに、キャラクタが所定の動作を行なう複数種類のスーパーリーチ状態を含む複数種類のリーチ状態の中からいずれの種類のリーチ状態を表示するかを決定するための数値が更新される。リーチ表示制御手段の働きにより、可変表示装置に導出される表示結果が当り表示結果となるとき、および、可変表示装置の表示結果が外れ表示結果になるときに、リーチ状態決定用カウンタからの抽出値がリーチ状態判定値であることを判定することによって、可変表示装置の可変表示中の表示態様にかかわらず飾り可変表示装置にリーチ状態を表示させる制御が行なわれる。複数種類のスーパーリーチ状態は、キャラクタが第１の動作を行なう種類のスーパーリーチ状態と、キャラクタが第１の動作とは異なる第２の動作を行なう種類のスーパーリーチ状態とを含む。リーチ表示制御手段に含まれるスーパーリーチ選択手段の働きにより、リーチ状態を表示させるときにおいて、リーチ種類決定用カウンタからの抽出値がスーパーリーチ状態判定値であるときに、該抽出値によって、複数種類のスーパーリーチ状態のうちからいずれかのスーパーリーチ状態が選択される。リーチ表示制御手段に含まれるスーパーリーチ表示制御手段の働きにより、スーパーリーチ選択手段により選択された種類のスーパーリーチ状態を飾り可変表示装置に表示させる制御が行なわれる。飾り表示結果決定手段の働きにより、スーパーリーチ表示制御手段によりスーパーリーチ状態を表示させる制御が行なわれるときには、複数本定められた当りラインのうちの所定の表示領域を通る当りラインにおいて該スーパーリーチ状態が表示され、スーパーリーチ状態と異なるノーマルリーチ状態を表示させる制御が行なわれるときには、複数本定められた当りラインのうちの所定の表示領域を通る当りラインおよび該所定の表示領域を通らない当りラインのうちのいずれかにおいて該ノーマルリーチ状態が表示されるように飾り可変表示装置の表示結果が決定される。
【手続補正９】
【補正対象書類名】明細書
【補正対象項目名】００１０
【補正方法】削除
【補正の内容】
【手続補正１０】
【補正対象書類名】明細書
【補正対象項目名】０１６４
【補正方法】変更
【補正の内容】
【０１６４】
請求項１に関しては、可変表示装置とは別に飾り可変表示装置が設けられ、可変表示装置の表示結果を当り表示結果にするときには飾り可変表示装置の表示結果が当り飾り識別情報の組合せになり、可変表示装置の表示結果を当り表示結果ではない外れ表示結果にするときには飾り可変表示装置の表示結果が当り飾り識別情報の組合せではない外れ飾り識別情報の組合せになる。また、リーチ状態決定用カウンタからの抽出値がリーチ状態判定値であることを判定することによって、可変表示装置の可変表示中の表示態様にかかわらず飾り可変表示装置にリーチ状態を表示させる制御が行なわれるために、飾り可変表示装置にキャラクタが所定の動作を行なう複数種類のスーパーリーチ状態を含む複数種類のリーチ状態のいずれかが表示される確率が、リーチ状態決定用カウンタからの抽出値とリーチ状態判定値との関係で決まり、両者の関係を設計段階で調整することにより、リーチ状態の表示確率を調整できる。複数種類のスーパーリーチ状態は、キャラクタが第１の動作を行なう種類のスーパーリーチ状態と、キャラクタが前記第１の動作とは異なる第２の動作を行なう種類のスーパーリーチ状態とを含んでいる。また、スーパーリーチ表示制御手段によりスーパーリーチ状態を表示させる制御が行なわれるときには、複数本定められた当りラインのうちの所定の表示領域を通る当りラインにおいて該スーパーリーチ状態が表示され、スーパーリーチ状態と異なるノーマルリーチ状態を表示させる制御が行なわれるときには、複数本定められた当りラインのうちの所定の表示領域を通る当りラインおよび該所定の表示領域を通らない当りラインのうちのいずれかにおいて該ノーマルリーチ状態が表示されるように飾り可変表示装置の表示結果が決定される。
【手続補正１１】
【補正対象書類名】明細書
【補正対象項目名】０１６５
【補正方法】削除
【補正の内容】